(57)【要約】視聴者に対して推奨される番組の指示情報を自動的に表示する方法である。該方法は、番組内容を受信するステップと、該受信された番組内容に対する推奨点数（スコア）を計算するステップであって、該推奨スコアは当該視聴者が該受信された番組内容を好むであろう確度を示すようなステップと、上記推奨スコアが所定の閾より高い場合に当該視聴者に対して上記受信された番組内容の指示情報を自動的に表示するステップとを含む。好ましくは、該指示情報は上記の受信された番組内容の表示であり、該番組内容は、好ましくはピクチャ・イン・ピクチャ表示上に表示されると共に、所望ならば、当該視聴者により主表示に切り換えることができる。
2005531963.tif 000002
【特許請求の範囲】
【請求項１】
視聴者に対して推奨される番組の指示情報を自動的に表示する方法において、該方法が、
番組内容を受信するステップと、
該受信された番組内容に対する推奨スコアを計算するステップであって、前記推奨スコアは前記視聴者が前記受信された番組内容を好む確度を示すようなステップと、
前記推奨スコアが所定の閾より高い場合に前記視聴者に対して前記受信された番組内容の指示情報を自動的に表示するステップと、
を有していることを特徴とする方法。
【請求項２】
請求項１に記載の方法において、前記指示情報の自動的表示が、ピクチャ・イン・ピクチャ表示上に自動的に表示されることを特徴とする方法。
【請求項３】
請求項２に記載の方法において、前記ピクチャ・イン・ピクチャ表示がベタであることを特徴とする方法。
【請求項４】
請求項２に記載の方法において、前記ピクチャ・イン・ピクチャ表示が透明であることを特徴とする方法。
【請求項５】
請求項１に記載の方法において、前記指示情報を自動的に表示するステップが、前記受信された番組内容を前記視聴者に対して自動的に表示するステップを有していることを特徴とする方法。
【請求項６】
請求項５に記載の方法において、前記受信された番組内容の自動的表示が、ピクチャ・イン・ピクチャ表示上に自動的に表示されることを特徴とする方法。
【請求項７】
請求項６に記載の方法において、前記ピクチャ・イン・ピクチャ表示上に表示された前記受信された番組内容を主表示に切り換えるステップを更に有していることを特徴とする方法。
【請求項８】
請求項１に記載の方法において、前記指示情報を自動的に表示するステップが前記視聴者に対してメッセージを自動的に表示するステップを有し、該メッセージが前記受信された番組内容の確度の高い好みを示すことを特徴とする方法。
【請求項９】
請求項８に記載の方法において、前記メッセージの自動的表示が、ピクチャ・イン・ピクチャ表示上に自動的に表示されることを特徴とする方法。
【請求項１０】
請求項８に記載の方法において、前記メッセージが前記視聴者により無視され、当該方法が前記視聴者に前記メッセージを後に思い出させるステップを更に有していることを特徴とする方法。
【請求項１１】
視聴者に対して推奨される番組の指示情報を自動的に表示する装置において、該装置が、
番組内容を受信する受信機と、
該受信された番組内容に対する推奨スコアを計算する推奨器であって、前記推奨スコアは前記視聴者が前記受信された番組内容を好む確度を示すような推奨器と、
前記推奨スコアが所定の閾より高い場合に前記視聴者に対して前記受信された番組内容の指示情報を自動的に表示する手段と、
を有していることを特徴とする装置。
【請求項１２】
請求項１１に記載の装置において、前記指示情報を自動的に表示する手段が、前記指示情報をピクチャ・イン・ピクチャ表示上に自動的に表示する手段を有していることを特徴とする装置。
【請求項１３】
請求項１１に記載の装置において、前記指示情報を自動的に表示する手段が、前記受信された番組内容を前記視聴者に対して自動的に表示する手段を有していることを特徴とする装置。
【請求項１４】
請求項１３に記載の装置において、前記受信された番組内容がピクチャ・イン・ピクチャ表示上に自動的に表示されることを特徴とする装置。
【請求項１５】
請求項１４に記載の装置において、前記ピクチャ・イン・ピクチャ表示上に表示された前記受信された番組内容を主表示に切り換える手段を更に有していることを特徴とする装置。
【請求項１６】
請求項１１に記載の装置において、前記指示情報を自動的に表示する手段が前記視聴者に対してメッセージを自動的に表示する手段を有し、該メッセージが前記受信された番組内容の確度の高い好みを示すことを特徴とする装置。
【請求項１７】
請求項１６に記載の装置において、前記メッセージがピクチャ・イン・ピクチャ表示上に自動的に表示されることを特徴とする装置。
【請求項１８】
請求項１６に記載の装置において、前記メッセージが前記視聴者により無視され、当該装置が前記視聴者に前記メッセージを後に思い出させる手段を更に有していることを特徴とする装置。
【請求項１９】
コンピュータ読み取り可能な媒体に具現化された、視聴者に対して推奨される番組の指示情報を自動的に表示するためのコンピュータプログラム製品において、該コンピュータプログラム製品が、
番組内容を受信するコンピュータ読み取り可能なプログラムコード手段と、
該受信された番組内容に対する推奨スコアを計算するコンピュータ読み取り可能なプログラムコード手段であって、前記推奨スコアは前記視聴者が前記受信された番組内容を好む確度を示すようなコンピュータ読み取り可能なプログラムコード手段と、
前記推奨スコアが所定の閾より高い場合に前記視聴者に対して前記受信された番組内容の指示情報を自動的に表示するコンピュータ読み取り可能なプログラムコード手段と、
を有していることを特徴とするコンピュータプログラム製品。
【請求項２０】
マシンにより読み取り可能なプログラム記憶デバイスであって、視聴者に対して推奨される番組の指示情報を自動的に表示する方法のステップを実行するために前記マシンにより実行される命令のプログラムを有形的に具現化するようなプログラム記憶デバイスにおいて、前記方法が、
番組内容を受信するステップと、
該受信された番組内容に対する推奨スコアを計算するステップであって、前記推奨スコアは前記視聴者が前記受信された番組内容を好む確度を示すようなステップと、
前記推奨スコアが所定の閾より高い場合に前記視聴者に対して前記受信された番組内容の指示情報を自動的に表示するステップと、
を有していることを特徴とするプログラム記憶デバイス。
【発明の詳細な説明】
【技術分野】
【０００１】
本発明は、広くはテレビジョン番組の推奨情報を発生するテレビジョン推奨器に係り、更に詳細には推奨される番組のピクチャ・イン・ピクチャ（ＰＩＰ）表示上への自動表示に関する。
【背景技術】
【０００２】
ＰＩＰ表示は従来よく知られている。斯かるＰＩＰを備えるテレビジョン装置（又は他の表示モニタ）は主表示に第１番組を表示し、ＰＩＰ上に第２番組を表示することができる。ＰＩＰは、通常は主表示よりサイズが小さいが、分割画面（スプリットスクリーン）とすることもできる。ＰＩＰは通常は第２番組を表示するために使用されるが、これらは番組案内又は他の番組情報を表示するためにも使用することができる。
【０００３】
更に、視聴者に対してテレビジョン番組を推奨する推奨器も従来よく知られている。斯様な推奨器は、一般的に、当該視聴者が特定の番組を好むであろう確度を示すような推奨点数（スコア）を計算する。斯かるスコアは、当該視聴者の視聴履歴及び／又は当該視聴者による投票システムに基づくものである。このような装置の一例は、カリフォルニア州、サニーベールのＴｉｖｏインクから入手可能なＴｉｖｏ（登録商標）システムである。斯様な装置は利点を有するものの、これらは一般的に、視聴者が装置に推奨される番組を積極的に問い合わせるか、又は装置が推奨スコアに基づいて望ましいと見なす記録番組のリストから選択しなければならないという点で能動的装置である。
【発明の開示】
【発明が解決しようとする課題】
【０００４】
従って、本発明の目的は推奨される番組の指示情報を視聴者に対して自動的に表示する方法及び装置を提供することにある。
【課題を解決するための手段】
【０００５】
従って、推奨される番組の指示情報を視聴者に対して自動的に表示する方法が提供される。該方法は、番組内容（program content）を受信するステップと、該受信された番組内容に対する推奨スコアを計算するステップであって、該推奨スコアは当該視聴者が上記受信された番組内容を好むであろう確度を示すようなステップと、上記推奨スコアが所定の閾より高い場合に当該視聴者に対して上記受信された番組内容の指示情報（indication）を自動的に表示するステップとを含む。
【０００６】
好ましくは、上記指示情報の自動的表示はピクチャ・イン・ピクチャ表示上に自動的に表示される。該ピクチャ・イン・ピクチャ表示は、ベタ（solid）又は透明（transparent）とすることができる。
【０００７】
上記指示情報の自動的表示は、好ましくは、当該視聴者に対して上記受信された番組内容を、より好ましくはピクチャ・イン・ピクチャ表示上に自動的に表示するステップを含む。その場合、当該方法は、更に、上記ピクチャ・イン・ピクチャ上に表示された受信番組内容を主表示に切り換えるステップを有する。
【０００８】
他の例として、前記指示情報の自動的表示は、当該視聴者に対してメッセージを、より好ましくはピクチャ・イン・ピクチャ表示上に自動的に表示するステップであって、該メッセージが上記受信番組内容の確度の高い好みを示すようなステップを有する。斯かるメッセージが視聴者により無視された場合、本方法は、好ましくは、視聴者に上記メッセージを後に思い起こさせるステップを更に有する。
【０００９】
推奨される番組の指示情報を視聴者に対して自動的に表示する装置も提供される。該装置は、番組内容を受信する受信機と、該受信された番組内容に対する推奨スコアを計算する推奨器であって、該推奨スコアは当該視聴者が上記受信された番組内容を好むであろう確度を示すような推奨器と、上記推奨スコアが所定の閾より高い場合に当該視聴者に対して上記受信された番組内容の指示情報を自動的に表示する手段とを有する。
【００１０】
上記指示情報を自動的に表示する手段は、好ましくは、上記指示情報をピクチャ・イン・ピクチャ上に自動的に表示する手段を有する。
【００１１】
好ましくは、前記指示情報を自動的に表示する手段は、視聴者に対して前記受信された番組内容を、より好ましくはピクチャ・イン・ピクチャ表示上に自動的に表示する手段を有する。その場合、当該装置は、上記ピクチャ・イン・ピクチャ上に表示された上記受信された番組内容を主表示に切り換える手段を更に有する。
【００１２】
他の例として、前記指示情報を自動的に表示する手段は、視聴者に対してメッセージを、より好ましくはピクチャ・イン・ピクチャ上に自動的に表示する手段を有し、上記メッセージは上記受信された番組内容の確度の高い好みを示す。斯かるメッセージが視聴者により無視された場合、当該装置は、好ましくは、視聴者に上記メッセージを後に思い出させる手段を更に有する。
【００１３】
コンピュータ読み取り可能な媒体に具現化されるコンピュータプログラム製品であって、視聴者に対して推奨される番組の指示情報を自動的に表示するようなコンピュータプログラム製品も更に提供される。該コンピュータプログラム製品は、番組内容を受信するためのコンピュータ読み取り可能なプログラムコード手段と、該受信された番組内容に関する推奨スコアを計算するためのコンピュータ読み取り可能なプログラムコード手段であって、該推奨スコアは当該視聴者が上記受信された番組内容を好む確度を示すようなプログラムコード手段と、上記推奨スコアが所定の閾より高い場合に当該視聴者に対して上記受信された番組内容の指示情報を自動的に表示するためのコンピュータ読み取り可能なプログラムコード手段とを有する。
【００１４】
更に提供されるものは、視聴者に対して推奨される番組の指示情報を自動的に表示する方法ステップを実行するためにマシンにより実行可能な命令のプログラムを有形的に実施化する上記マシンにより読み取り可能なプログラム記憶デバイスである。上記方法は、番組内容を受信するステップと、該受信された番組内容に対する推奨スコアを計算するステップであって、該推奨スコアは当該視聴者が上記受信された番組内容を好む確度を示すようなステップと、上記推奨スコアが所定の閾より高い場合に当該視聴者に対して上記受信された番組内容の指示情報を自動的に表示するステップとを有する。
【００１５】
本発明の装置及び方法の上記並びに他のフィーチャ、態様及び利点は、以下の説明、添付請求項及び添付図面に関連して、より良く理解されるようになるであろう。
【発明を実施するための最良の形態】
【００１６】
この発明は多数の且つ種々の番組内容に適応可能であるが、ビデオ番組内容の環境において特に有効であることが分かった。従って、本発明の適応可能性をビデオ番組内容に限定することなく、本発明を斯様な環境において説明する。
【００１７】
ここで図１を参照すると、該図には視聴者に対して推奨される番組の指示情報を自動的に表示する装置が図示され、該装置は全体として符号１００により示されている。装置１００は、好ましくは、テレビジョン又はコンピュータモニタのような表示器と共に使用するセット・トップ・ボックスとして構成される。該装置は、番組内容ソース１０４からビデオ映画及び放送ビデオ番組（broadcast television programming）等のような番組内容を受信する受信機１０２を有している。上記番組内容は、放送テレビジョン信号、ケーブル信号、衛星信号及びイーサネット接続のような従来既知の如何なる媒体によっても送信及び受信することができる。斯様な信号を受信する受信機は従来よく知られている。
【００１８】
装置１００は、受信された番組内容に対する推奨点数（スコア）を計算する推奨器を更に含んでいる。このような推奨器は、１９９９年１２月１７日に出願された“テレビジョン番組を推奨する方法及び装置”なる名称の米国特許出願第09/466,406号及び２０００年２月４日に出願された“適応型ＴＶ番組推奨器”なる名称の米国特許出願第09/498,271号に開示されているもののように、特定の視聴者が受信された番組内容を好む確度（likelihood）を示すような推奨スコアを計算するもので、従来よく知られている。これら米国特許出願の開示内容は、共に、参照により本明細書に組み込まれるものとする。当該推奨器は、概ね、メモリ１１０及び他の例としてクロック１０８を有するプロセッサ１０６により実施化される。
【００１９】
表示器１１２も設けられ、装置１００に動作的に接続される。表示器１１２は、好ましくは、主表示１１３及びピクチャ・イン・ピクチャ（ＰＩＰ）表示１１４の両者を有するテレビジョンである。ＰＩＰ１１４は図２ａに更に詳細に示され、図２ａに示すようなテキストメッセージの如き静止画像又はビデオを表示することができる。表示器１１２は独立型とするか又は装置１００と統合することができる。また、装置１００は制御手段１１６も有し、該制御手段は好ましくは赤外線信号等により当該装置に遠隔的に接続される。制御手段１１６は、好ましくは、表示器１１２及びＰＩＰ１１４に関する機能も制御する。このようなリモコンは従来よく知られており、典型的には図２ｂに示されるもののような複数のボタン１１８又は他のスイッチを有する。一般的に、複数のボタン１１８の各々は、当該装置１００及び／又は表示器１１２により実行されるべき別々の機能に対応する。
【００２０】
次に、図３、４ａ及び４ｂを参照して、視聴者に対して推奨される番組の指示情報を自動的に表示する方法の好ましい実施例を説明する。該方法は、ステップ２０２においてカウンタを零にリセットし、ステップ２０４において番組内容を受信する。当業者であれば、斯かる番組内容は実際のビデオ番組及び／又は番組のリスト並びに前記推奨器が推奨スコアを計算することができるような関連するフィーチャであり得ることが分かるであろう。ステップ２０６において、受信された番組内容に対して推奨スコアが計算される。前述したように、斯かる推奨スコアは、当該視聴者が該受信番組内容を好むであろう確度を示す。ステップ２０８においては、該算出された推奨スコアが所定の閾より高いかが判断される。該閾は固定とするか、又は好ましくは制御手段１１６を介して当該視聴者により変更可能とすることができる。該所定の閾は、斯かる閾を超える如何なる受信された番組内容も当該視聴者にとり興味があるもので、該視聴者に対してその様に示すことに価値があるように、設定されるべきである。
【００２１】
推奨スコアが所定の閾より低い場合は、当該方法はステップ２０８の経路“ＮＯ”に沿って進み、ステップ２０４に戻って番組内容を受信し続ける。算出された推奨スコアが上記所定閾を超えると、当該方法はステップ２０８の経路“ＹＥＳ”に沿ってステップ２１０に進み、該ステップにおいて当該受信された番組内容の指示情報が視聴者に対して表示される。当該視聴者に対する該指示情報は多くの形態をとることができ、多くの態様で表示することができる。例えば、該指示情報は好ましくはピクチャ・イン・ピクチャ表示１１４上に自動的に表示される。該ピクチャ・イン・ピクチャ表示１１４は、従来知られているように、ベタ（solid）又は透明とすることができる。当該指示情報は好ましくはＰＩＰ１１４上で示されるものとするが、当業者であれば、該指示情報を視聴者に表示することに関しては、最下行上への表示又は別途の表示のように多くの可能性が存在することが分かるであろう。該指示情報は、閃光するＬＥＤのような前記制御手段１１６上の視覚表示とさえすることができる。更に、該指示情報は視覚的である必要はなく、表示器１１２、制御手段１１６及び／又は装置１００上での警報音のような音響的表示とすることもできる。最後に、該指示情報は当該視聴者が見ている何らかの他のものと同時的に表示される必要はなく、これに取って代わることもできる。
【００２２】
次に図４ａを参照すると、ステップ２１２において、当該視聴者が上記指示情報を無視したかが判断される。該視聴者側での無視は、好ましくは、クロック１０８によりカウントされる指定期間にわたる無作為であるが、制御手段１１６上のボタン１２２を押下すること等による、該視聴者（彼又は彼女）が当該番組内容の指示情報を無視したいと欲する積極的な指示でもあり得る。当該指示情報が無視された場合は、当該方法はステップ２１２の経路“ＹＥＳ”に沿ってステップ２１４に進み、該ステップにおいて該指示情報の表示が中止されるか、又は当該指示情報が他の表示に取って代わっている場合は、該他の表示が再開される。ステップ２１６において、好ましくは、当該視聴者はクロック１０８によりカウントされる後の時点において上記指示情報を思い出さされ、当該カウンタはステップ２１８において１だけ増加される。ステップ２２０の“ＮＯ”において、当該カウンタが或る所定の閾より超えていない（即ち、当該視聴者が当該指示情報を過度に多くの回数（例えば、３回）無視していない）と判断された場合は、当該方法はステップ２１０に戻り、該ステップにおいて当該指示情報が再び表示される。後の指示においては、表示の形式は当該視聴者に対して当該指示情報を一層完全に警告するために変更することができる。例えば、最初の指示情報は閃光するＬＥＤとし、２番目のものは音響的警報を伴うような閃光するＬＥＤとし、３番目のものはＰＩＰ１１４上のテキストメッセージとし、４番目のものはＰＩＰ１１４上で実際の番組内容を見せるものとすることができる。警告の型式は、当該番組内容が放送される時間に如何に近いかに応じて変化させることもできる。上記カウンタが上記所定の閾より大きいと判断された場合、当該方法はステップ２２０の経路“ＹＥＳ”に沿ってステップ２０２に進み、該ステップにおいて該指示情報は当該視聴者に対して最早表示されなくなり、上記カウンタは零にリセットされる。
【００２３】
当該視聴者が上記指示情報を無視しなかった場合は、当該方法はステップ２１２の経路“ＮＯ”に沿って、図４ｂに示すステップ２２２に進む。ステップ２２２においては、当該視聴者が上記番組内容を視聴したいと欲するかが判断される。もし視聴したくないなら、当該方法はステップ２２２の経路“ＮＯ”に沿ってステップ２０４に進む。もし視聴したいなら、当該方法はステップ２２２の経路“ＹＥＳ”に沿ってステップ２２４に進み、該ステップにおいて該番組内容（例えば、ビデオ放送番組）が該視聴者に対して表示され、その後、当該方法はステップ２０４に進む。例えば上記番組内容を視聴したい場合に当該視聴者側の積極的な操作が必要とされる場合、該視聴者は斯様な操作を制御手段１１６を介して入力することが好ましい。図２ｂに戻ると、該制御手段は、好ましくは、斯様な操作に対応するボタン１１８、例えば当該番組内容をＰＩＰ１１４から主表示１１３に切り換えるボタン１２０を有する。他の例として、ボタン１２０は、当該番組内容に関するＰＩＰ１１４上のメッセージの表示を中止し、該番組内容を主表示１１３上に表示させるために使用することもできる。更に、ボタン１２２は、ＰＩＰ１１４におけるメッセージ又はＰＩＰ１１４における当該番組内容の表示を無視するために使用することもできる。
【００２４】
前述したように、上記指示情報自体多くの形態をとることができる。好ましくは、或る受信された番組内容が前記所定の閾より高い計算された推奨スコアを有する場合、該番組内容は視聴者に対して自動的に表示される。より好ましくは、受信された斯様な番組内容はＰＩＰ１１４上に自動的に表示される。該視聴者がＰＩＰ上の上記番組内容を視聴したいと欲する場合、該ＰＩＰは、好ましくは制御手段１１６上のボタン１２０を押下することにより主表示１１３に切り換えることができる。前記指示情報は、高推奨スコアを持つ番組内容が直ぐに放送されるという図２ａに図示したもののようなテキストメッセージとすることもできる。斯かるテキストメッセージはＰＩＰ上、又は代わりに最下行若しくは最上行表示部上とすることもできる。この例において、視聴者は、好ましくは制御手段１１６上のボタン１２０又は他の専用のボタン１１８を使用することにより、主表示を当該番組内容が再生されるチャンネルに切り換え、又は該番組内容が再生を開始する際に切り換えることができる。
【００２５】
上述した装置１００は、テレビジョン用の“セット・トップ・ボックス”として実施化されるのに加えて、プロセッサ及び受信機を有するパーソナルコンピュータ又はワークステーションのような如何なる計算装置としても実施化することができる。更に、上記表示器は、テレビジョンとして実施化されることに加えて、上記装置に接続されたビデオ及び／又は画像内容を表示する如何なる表示器としても実施化することができる。
【実施例１】
【００２６】
ＰＩＰが表示されている場合に、古典的ドラマを見るという視聴履歴を有する視聴者がチャンネル２上で最新のニュースを見ており、図２ａに示すようなメッセージが該ＰＩＰ表示上に現れる。該視聴者は上記メッセージを無視し、該メッセージは３０秒以内に停止される。上記メッセージはＰＩＰ上に再び表示されるが、今回は、該視聴者に“風と共に去りぬ”が５分以内に放送されることを思い出させる。該視聴者は上記メッセージを再び無視し、該メッセージは３０秒以内に停止される。“風と共に去りぬ”が放送を開始した時点で、これがＰＩＰ上に表示される。当該視聴者は疲れているので、前記最新のニュースの後に寝たいと欲し、ボタン１２２を押下してＰＩＰ表示を停止させると共に当該方法をステップ２０２に進めさせる。
【実施例２】
【００２７】
“風と共に去りぬ”が５分以内に放送されるとのメッセージがＰＩＰ上に表示された場合に当該視聴者がボタン１２０を押下し、主表示が“風と共に去りぬ”を放送するチャンネルに切り換わることを除いて、実施例１におけるのと同一の状況が提示される。
【実施例３】
【００２８】
風と共に去りぬ”が５分以内に放送されるとのメッセージがＰＩＰ上に表示された場合に当該視聴者がボタン１２０を押下し、“風と共に去りぬ”が放送を開始した際に主表示が“風と共に去りぬ”を放送するチャンネルに切り換わることを除いて、実施例１におけるのと同一の状況が提示される。
【実施例４】
【００２９】
実施例１におけるのと同一の状況が提示されるが、“風と共に去りぬ”がＰＩＰ上に表示された場合に、当該視聴者はボタン１２０を押下して、主表示上の最新のニュースを“風と共に去りぬ”に切り換える。
【００３０】
本発明の方法はコンピュータ・ソフトウェア・プログラムにより実行されるのに特に適しており、斯かるコンピュータ・ソフトウェア・プログラムは好ましくは当該方法の個々のステップに対応するモジュールを含む。このようなソフトウェアは、勿論、集積チップ又は周辺装置のようなコンピュータ読み取り可能な媒体内で実施化することもできる。
【００３１】
以上、本発明の好ましい実施例と考えられるものを示し及び記載したが、形態及び細部の種々の変形及び変更は、勿論、本発明の趣旨から逸脱すること無しに容易に実施することができると理解される。従って、本発明は記載され及び解説された正確な形態に限定されるものではなく、添付請求項の範囲内に入り得る全ての変形をカバーすると見なされるべきであることを意図するものである。
【図面の簡単な説明】
【００３２】
【図１】図１は、本発明の装置の好ましい実施例を示す概念図である。
【図２ａ】図２ａは、図１のピクチャ・イン・ピクチャ表示の他の表示を示す。
【図２ｂ】図２ｂは、図１の制御手段の好ましい実施例の一部を示す。
【図３】図３は、本発明の方法の好ましい実施例を示すフローチャートである。
【図４ａ】図４ａは、図３のフローチャートの部分Ａを示す。
【図４ｂ】図４ｂは、図３のフローチャートの部分Ｂを示す。
【図１】
2005531963.tif 000003
2005531963.tif 000004
【図３】
2005531963.tif 000005
2005531963.tif 000006
2005531963.tif 000007
【国際調査報告】
2005531963.tif 000008
2005531963.tif 000009
2005531963.tif 000010
2005531963.tif 000011